(57)【特許請求の範囲】
【請求項１】
コロを軸支する回転軸と、この回転軸の両端部を支持する一対の支持体からなるコロ取付装置において、
前記回転軸の両側に前記回転軸と同軸でかつ径が異なる複数の円柱部を、前記回転軸の一端部側から他端部側に向かって径が小さくなるように段状に設け、さらに、前記支持体に、前記回転軸の両側における太い円柱部に略同径の孔部と、この孔部に連続しかつ前記回転軸の両側における細い円柱部の径と略同じ幅の切欠き部とを形成し、さらに前記細い円柱部を前記切欠き部に挿入して前記孔部に位置させた時に前記回転軸の一端部を軸方向に押圧して、前記孔部に前記太い円柱部を嵌合させる押圧部材を一方の支持体に設けたことを特徴とするコロ取付装置。
【請求項２】
前記細い円柱部と前記太い円柱部の間に傾斜面を設け、この傾斜面を介して前記孔部に前記太い円柱部を嵌合させることを特徴とする請求項１記載のコロ取付装置。
【請求項３】
前記押圧部材と前記一方の支持体を一体的に構成したことを特徴とする請求項１または請求項２記載のコロ取付装置。
【発明の詳細な説明】
【０００１】
【発明の属する技術分野】
本発明は、ファクシミリ装置、複写機等に適用されるコロ取付装置に関する。
【０００２】
【従来の技術】
図５は自動原稿搬送機構(ＡＤＦ)を備えたスキャナ装置の一例を示す構成図であり、１はセットされた原稿束を画像読取位置方面に移動させるピックアップコロ、２はピックアップコロ１に当接する加圧板、３は加圧板２をピックアップコロ１に押圧する加圧スプリング、４はフィードコロ、５は、フィードコロ４に当接し、ピックアップコロ１によって送られた原稿Ｐを１枚ずつ分離搬送させるリバースコロ、６はリバースコロ５を支持するブラケット、７はブラケット６を揺動可能に支持する支点、８は適度な分離圧を得るようにブラケット６を押圧してリバースコロ５をフィードコロ４に押しつける分離圧スプリング、９は、フィードコロ４によって送られた原稿Ｐを画像読取位置に搬送するＲ１コロ、10はＲ１コロ９に圧接するＲ１加圧コロ、11は画像読取装置、12は画像読取位置を通過した原稿Ｐを外部に排出させるＲ２コロ、13はＲ２コロ12に圧接するＲ２加圧コロを示す。
【０００３】
図６はスキャナ装置本体における自動原稿搬送機構(ＡＤＦ)の取付構造を示す説明図であり、14は上ユニット、15は上部に上ユニット14を回動可能に設置する下ユニットを示す。上ユニット14には、加圧板２，加圧スプリング３，リバースコロ５，ブラケット６，支点７，分離圧スプリング８，Ｒ１加圧コロ10，Ｒ２加圧コロ13が設置されている。下ユニット15には、ピックアップコロ１，フィードコロ４，Ｒ１コロ９，画像読取装置11，Ｒ２コロ12が設置されている。そして、上ユニット14と下ユニット15とは原稿通紙面を境に開閉分割される。
【０００４】
セットされた原稿束は、加圧板２の押圧およびピックアップコロ１の回転によってフィードコロ４に搬送される。このとき、上方の原稿はリバースコロ５によって移動が規制され、下方の原稿はフィードコロ４によってニップに入ろうとする力が加わる。そして、フィードコロ４と原稿との摩擦力の大小差により、最下紙がＲ１コロ９に分離搬送される。そののち、Ｒ１コロ９から画像読取装置11によって画像が読み取られた後にＲ２コロ12によって外部に排出される。また、メンテナンスの際には、図６に示すように上ユニット14を開放状態にすることで、各コロ類や画像読取装置11のメンテナンスが行える。
【０００５】
また、従来のこの種の技術としては、特開平８−91618号公報記載のローラがある。この公報には、搬送コロを嵌合保持する回転軸の周面部に、回転軸線方向のスリットと、このスリットに連ねるように回転軸線まわりで奥拡がりになる凹部とを形成する一方、搬送コロの軸嵌合孔には、スリットを通じて奥拡がり凹部に弾性的に係合する弾性係合体を設けたことにより、組立ての容易化ならびにローラ部品をリサイクルしての再生を容易に可能にした技術が開示されている。
【０００６】
【発明が解決しようとする課題】
従来、フィードコロ４やリバースコロ５はゴムで構成されているために、摩擦によって摩耗が発生する。特に、図５の構成の場合には、リバースコロ５が最も摩耗する。フィードコロ４やリバースコロ５が摩耗して搬送性が悪化した場合、交換する等のメンテナンスが必要となる。
【０００７】
しかし、その際、リバースコロ５はブラケット６および支点７とともにユニット体として構成されているために、リバースコロ５以外の構成部品をも含めたユニット単位の着脱のみしかできず、用紙搬送ガイドカバーを外さなければユニット体の着脱ができなかった。さらに、リバースコロ５をブラケット６に装着するときにも、リバースコロ５の回転軸とブラケット６との固定には止め輪等のスラスト決めが必要であったため、着脱時に手間がかかった。
【０００８】
本発明は、このような問題点を解決し、コロの取付作業の簡略化およびメンテナンス性の向上を実現したコロ取付装置を提供することを目的とする。
【０００９】
【課題を解決するための手段】
前記目的を達成するための本発明は、コロを軸支する回転軸と、この回転軸の両端部を支持する一対の支持体からなるコロ取付装置において、前記回転軸の両側に前記回転軸と同軸でかつ径が異なる複数の円柱部を、前記回転軸の一端部側から他端部側に向かって径が小さくなるように段状に設け、さらに、前記支持体に、前記回転軸の両側における太い円柱部に略同径の孔部と、この孔部に連続しかつ前記回転軸の両側における細い円柱部の径と略同じ幅の切欠き部とを形成し、さらに前記細い円柱部を前記切欠き部に挿入して前記孔部に位置させた時に前記回転軸の一端部を軸方向に押圧して、前記孔部に前記太い円柱部を嵌合させる押圧部材を一方の支持体に設けたことを特徴とする。このような構成により、回転軸を切欠き部にあわせて押し込むというワンタッチ動作によって、回転軸を支持体に装着することができる。また、支持体に装着されている回転軸は、回転軸の軸方向への移動によって支持体から突出した回転軸の端部を押すというワンタッチ動作によって、支持体から取り外すことができる。
【００１０】
また本発明は、前記細い円柱部と前記太い円柱部の間に傾斜面を設け、この傾斜面を介して前記孔部に前記太い円柱部を嵌合させることを特徴とする。このような構成により、太い径の段部と孔部との嵌合が滑らかに行えるようになる。
【００１１】
また本発明は、前記押圧部材と前記一方の支持体を一体的に構成したことを特徴とする。このような構成により、部品点数の低減を図ることができる。
【００１２】
【発明の実施の形態】
以下、本発明の実施形態について、図面を参照して詳細に説明する。
【００１３】
図１は本発明の第１実施形態のユニットの構成部材を示す分解斜視図、図２は図１の組立て構成を示す構成図であり、20はリバースコロ５を軸支する回転軸、21はブラケット、22は板ばねを示す。
【００１４】
回転軸20は、リバースコロ５を軸支する中央部20aと、中央部20aの一端に連続して設けられ、中央部20aより径が小さい中径部20bと、中径部20bに連続して設けられ中径部20bより径が小さい左小径部20cと、中央部20aの他端に連続して設けられ、左小径部20cと同一径の右小径部20dと、右小径部20dに連続して設けられ、中径部20bより径が大きい大径部20eとから構成されている。ここで、中央部20a，中径部20b，左小径部20c，右小径部20dおよび大径部20eは円柱型であり、同一軸線上にある。さらに、左小径部20cの付け根の部分から中径部20bの縁部にかけて傾斜面20fが形成されており、右小径部20dから大径部20eの縁部にかけて傾斜面20gが形成されている。
【００１５】
また、ブラケット21は開口を有する筐体であり、一方の側面には、中径部20bの径と略同径の軸孔21aが形成されており、この軸孔21aから一方の側面の縁部にかけて左小径部20cの径の大きさに略等しい幅のスリット21bが形成されている。さらに、一方の側面に対向する他方の側面には、大径部20eの径と略同径の軸孔21cが形成されており、この軸孔21cから他方の側面の縁部にかけて右小径部20dの径の大きさに略等しい幅のスリット21dが形成されている。このとき、軸孔21aの軸線と軸孔21cの軸線とが一致しかつ軸孔21aから軸孔21cまでの幅が左小径部20cから右小径部20dまでの幅に等しくなるように設計する。さらに前記両側面にはブラケット21を上ユニット14(図６参照)に回動可能に設置するための取付孔21e，21eが形成されている。
【００１６】
さらに、ブラケット21の他方の側面の外側には、板ばね22の一端部がねじ止め等によって設置されており、他端部が弾性変形可能である。この板ばね22の他端部には曲げが施されており、緩やかな斜面が形成されている。
【００１７】
次に、ブラケット21に回転軸20を取り付ける動作について説明する。
【００１８】
まず、回転軸20にリバースコロ５取り付ける。このとき、図２(b)において破線に示すように、中径部20bおよび中央部20aがリバースコロ５によって覆われた状態となり、左小径部20cおよび右小径部20dは外部に露出した状態にある。次に、左小径部20cおよび右小径部20dをスリット21b，21dに挿入し、そのまま軸孔21aおよび軸孔21cに向けて押し込む。このとき、大径部20eが板ばね22を押し拡げることにより、回転軸20には板ばね22によるスラスト荷重が加わるようになる。そして、左小径部20cおよび右小径部20dが軸孔21aおよび軸孔21cにかかると板ばね22によるスラスト荷重により、回転軸20は傾斜面20fおよび傾斜面20gに沿って押し込まれ、中径部20bは軸孔21aに、大径部20eは軸孔21cにそれぞれ嵌合することにより、図２(a)に示すように、リバースコロ５の装着が完了する。なお、このときリバースコロ５の外幅をブラケット21の内幅に合わせているため、リバースコロ５内を中央部20aがスライドして右小径部20dをリバースコロ５が覆う状態となる。
【００１９】
次に、リバースコロ５の取外し動作について説明する。まず、前述した取付手順とは逆に、ブラケット21から突出している左小径部20cを押し込んで、大径部20eを介して板ばね22を押し拡げるとともに、左小径部20cおよび右小径部20dを軸孔21aおよび軸孔21cを位置付ける。このとき、図３に示すように、板ばね22によって大径部20eが押圧されるため、左小径部20cおよび右小径部20dはスリット21b，21dを介してブラケット21の外部に送られるようになる。
【００２０】
このように本実施形態を構成したことにより、リバースコロ５を通した回転軸20をブラケット21に押し込むというワンタッチ動作によって、回転軸20をブラケット21に装着することができる。また、ブラケット21に装着されている回転軸20は、左小径部20cを押すというワンタッチ動作によって、ブラケット21から取り外すことができる。
【００２１】
また、(中径部20bの径)＞(左小径部20cの径)であり、かつ(大径部20eの径)＞(右小径部20dの径)であるために、回転軸20をブラケット21に装着した際に、回転軸20はスリット21b，21dを介してブラケット21の外部に抜けることはない。また、(大径部20eの径)＞(中径部20bの径)であるため、回転軸20がブラケット21からスラスト方向に抜けることはない。さらにリバースコロ５の外幅をブラケット21の内幅に合わせているため、回転軸20をブラケット21に装着した際にリバースコロ５がスラスト方向に移動するものではない。したがって、ブラケット21，リバースコロ５および回転軸20の３部品を組み立てる際に、回転軸20をブラケット６に固定するための止め輪部品を用いる必要がなくなる。
【００２２】
さらに、リバースコロ５の交換のためにブラケット21を外す必要がなく、メンテナンスの作業性が向上する。
【００２３】
以上、実施形態について説明してきたが、本発明は、前述した実施形態に限るものではなく、リバースコロ５以外のコロについても適用可能である。また、板ばね22の材質をブラケット21と同じ材質、例えば樹脂材料等を用いることで、図４に示すようにブラケット21と板ばね22とを一体部品で構成しても良く、そのように構成することで部品数を低減することができる。
【００２４】
【発明の効果】
以上、説明したように構成された本発明によれば、支持体に対する回転軸の着脱がワンタッチ動作によって行うことが可能になり、メンテナンスの作業性を向上させることができる。
【図面の簡単な説明】
【図１】本発明の第１実施形態のユニットの構成部材を示す分解斜視図である。
【図２】図１の組立て構成を示す構成図である。
【図３】リバースコロを取り外す際の板ばねの付勢方向を示す説明図である。
【図４】板ばねとブラケットとを一体部品とした構成を示す説明図である。
【図５】自動原稿搬送機構(ＡＤＦ)を備えたスキャナ装置の一例を示す構成図である。
【図６】スキャナ装置本体における自動原稿搬送機構(ＡＤＦ)の取付構造を示す説明図である。
【符号の説明】
１…ピックアップコロ、  ２…加圧板、  ３…加圧スプリング、  ４…フィードコロ、  ５…リバースコロ、  ６…ブラケット、  ７…支点、  ８…分離圧スプリング、  ９…Ｒ１コロ、  10…Ｒ１加圧コロ、  11…画像読取装置、  12…Ｒ２コロ、  13…Ｒ２加圧コロ、  14…上ユニット、  15…下ユニット、  20…回転軸、  20a…中央部、  20b…中径部、  20c…左小径部、  20d…右小径部、  20e…大径部、  20f，20g…傾斜面、  21…ブラケット、  21a，21c…軸孔、  21b，21d…スリット、  21e…取付孔、  22…板ばね。
【図１】
0003656178.tif 000002
【図２】
0003656178.tif 000003
【図３】
0003656178.tif 000004
【図４】
0003656178.tif 000005
【図５】
0003656178.tif 000006
【図６】
0003656178.tif 000007